(57)【要約】【課題】交換時に、着用者の背側における装着を容易にする。【解決手段】本実施形態に係る使い捨ておむつ１では、吸収体２Ｃよりも背側Ｂには、トップシート２Ａとバックシート２Ｂとの間に、伸縮フィルム１００が配置されており、伸縮フィルム１００は、２層の非伸縮層１００Ａ/１００Ｂの間に少なくとも１層の伸縮層１００Ｃが挟まれており、非伸縮層１００Ａ/１００Ｂと伸縮層１００Ｃとの接合点１００Ｘが製品幅方向Ｗに間欠的に存在する構造を有しており、使い捨ておむつ１が、自然状態である場合に、バックシート２Ｂにおいて製品長手方向Ｌに延びる複数の皺２００が、背側Ｂの端縁Ｅ１まで到達するように形成されており、製品長手方向Ｌにおいて所定の長さを有しており製品幅方向Ｗに延びる複数の領域Ｘ１〜Ｘｎにおける皺２００の数についての標準偏差は、０.３〜２.０の範囲内にあるように構成されている。【選択図】図２
2015202251.tif 000002
【特許請求の範囲】
【請求項１】
互いに直交する製品長手方向及び製品幅方向を有しており、トップシートとバックシートと前記トップシートと前記バックシートとの間に配置されている吸収体とを具備している使い捨ておむつであって、
前記製品長手方向には、背側及び腹側が規定されており、
前記吸収体よりも前記背側には、前記トップシートと前記バックシートとの間に、伸縮フィルムが配置されており、
前記伸縮フィルムは、２層の非伸縮層の間に少なくとも１層の伸縮層が挟まれており、前記非伸縮層と前記伸縮層との接合点が前記製品幅方向に間欠的に存在する構造を有しており、
前記使い捨ておむつが、自然状態である場合に、前記バックシートにおいて前記製品長手方向に延びる複数の皺が、前記吸収体の前記背側の端縁から前記使い捨ておむつの前記背側の端縁まで到達するように形成されており、
前記製品長手方向において所定の長さを有しており前記製品幅方向に延びる複数の領域における前記皺の数についての標準偏差は、０.３〜２.０の範囲内にあるように構成されていることを特徴とする使い捨ておむつ。
【請求項２】
前記伸縮フィルムと前記吸収体との間の距離は、前記伸縮フィルムと前記使い捨ておむつの前記背側の端部との間の距離以下となるように構成されていることを特徴とする請求項１に記載の使い捨ておむつ。
【請求項３】
前記バックシートの前記製品幅方向を基線にした曲げ剛性値は、０.３×１０−４Ｎｍ/ｍ以下となるように構成されていることを特徴とする請求項１又は２に記載の使い捨ておむつ。
【請求項４】
前記トップシートは、前記製品長手方向に延びる凸条部及び凹条部を有していることを特徴とする請求項１乃至３のいずれか一項に記載の使い捨ておむつ。
【請求項５】
前記トップシートと前記バックシートと前記伸縮フィルムとを貼り合わせた状態における前記製品幅方向を基線にした曲げ剛性値は、０.８Ｎｍ/ｍ以上となるように構成されていることを特徴とする請求項１乃至４のいずれか一項に記載の使い捨ておむつ。
【発明の詳細な説明】
【技術分野】
【０００１】
本発明は、使い捨ておむつに関する。
【背景技術】
【０００２】
従来、後胴回り域において、製品幅方向に伸縮可能なウレタンシート、及び、かかるウレタンシートの肌当接面側に製品長手方向に延びる凹条部及び凸条部を有するトップシートが配置されている使い捨ておむつが知られている（特許文献１参照）。
【０００３】
かかる使い捨ておむつでは、着用者が、ウレタンシートの厚みを感じてしまうという問題点があった。
【０００４】
かかる問題点を解決するために、後胴回り域において、ウレタンシートの代わりに、製品幅方向に伸縮可能な伸縮シートが配置されている使い捨ておむつが知られている。
【先行技術文献】
【特許文献】
【０００５】
【特許文献１】特開２０１２-７５６６３号公報
【発明の概要】
【発明が解決しようとする課題】
【０００６】
しかしながら、上述の使い捨ておむつでは、伸縮シート単体の剛性が小さいため、後胴回り域において、綺麗な凹凸が形成されずに折れ曲がってしまい、着用者の背側において使い捨ておむつが十分に肌に当たらず、ズレ及び漏れの原因となってしまうという問題点があった。
【０００７】
そこで、本発明は、上述の課題に鑑みてなされたものであり、交換時に、着用者の背側における装着を容易にすることができる使い捨ておむつを提供することを目的とする。
【課題を解決するための手段】
【０００８】
本発明の第１の特徴は、互いに直交する製品長手方向及び製品幅方向を有しており、トップシートとバックシートと前記トップシートと前記バックシートとの間に配置されている吸収体とを具備している使い捨ておむつであって、前記製品長手方向には、背側及び腹側が規定されており、前記吸収体よりも前記背側には、前記トップシートと前記バックシートとの間に、伸縮フィルムが配置されており、前記伸縮フィルムは、２層の非伸縮層の間に少なくとも１層の伸縮層が挟まれており、前記非伸縮層と前記伸縮層との接合点が前記製品幅方向に間欠的に存在する構造を有しており、前記使い捨ておむつが、自然状態である場合に、前記バックシートにおいて前記製品長手方向に延びる複数の皺が、前記背側の端縁まで到達するように形成されており、前記製品長手方向において所定の長さを有しており前記製品幅方向に延びる複数の領域における前記皺の数についての標準偏差は、０.３〜２.０の範囲内にあるように構成されていることを要旨とする。
【発明の効果】
【０００９】
以上説明したように、本発明によれば、交換時に、着用者の背側における装着を容易にすることができる使い捨ておむつを提供することができる。
【図面の簡単な説明】
【００１０】
【図１】本発明の第１の実施形態に係る使い捨ておむつの非肌当接面側から見た平面図である。
【図２】図１における領域Ａの拡大図、及び、かかる拡大図におけるＸ-Ｘ断面図である。
【図３】本発明の第１の実施形態に係る使い捨ておむつの非肌当接面側に形成される皺の数を算出する方法を説明するための図である。
【図４】本発明の第１の実施形態に係る使い捨ておむつの非肌当接面側に形成される皺の数を算出する方法を説明するための図である。
【図５】実施例１及び比較例１/２において曲げ剛性値を比較した試験結果を示す図である。
【発明を実施するための形態】
【００１１】
図１乃至図４を参照して、本発明の第１の実施形態に係る使い捨ておむつ１について説明する。
【００１２】
なお、以下の図面の記載において、同一又は類似の部分には、同一又は類似の符号を付している。ただし、図面は模式的なものであり、各寸法の比率等は現実のものとは異なることに留意すべきである。
【００１３】
したがって、具体的な寸法等は、以下の説明を参酌して判断すべきである。また、図面相互間においても互いの寸法の関係や比率が異なる部分が含まれ得る。
【００１４】
図１に、本実施形態に係る使い捨ておむつ１の非肌当接面側から見た平面図を示し、図２（ａ）に、図１における領域Ａの拡大図を示し、図２（ｂ）に、かかる拡大図におけるＸ-Ｘ断面図を示し、図３及び図４に、本発明の第１の実施形態に係る使い捨ておむつ１の非肌当接面側に形成される皺の数を算出する方法を説明するための図を示す。
【００１５】
図１に示すように、本実施形態に係る使い捨ておむつ１は、互いに直交する製品長手方向Ｌ及び製品幅方向Ｗを有している。また、本実施形態に係る使い捨ておむつ１は、製品長手方向Ｌにおいて、背側Ｂ及び腹側Ｆを有している。
【００１６】
また、図１及び図２（ｂ）に示すように、本実施形態に係る使い捨ておむつ１は、トップシート２Ａと、バックシート２Ｂと、トップシート２Ａとバックシート２Ｂとの間に配置されている吸収体２Ｃとを具備している。
【００１７】
例えば、トップシート２Ａは、不織布や織布や有孔プラスチックシートやメッシュシート等、液体を透過する構造のシート状の材料であれば、特に限定されない。これらの材料を構成する繊維は、ポリエチレン（ＰＥ）やポリプロピレン（ＰＰ）やポリエチレンテレフタレート（ＰＥＴ）等の単繊維や、ポリエチレン及びポリプロピレンをグラフト重合してなる繊維や、芯鞘構造等の複合繊維等が挙げられる。
【００１８】
バックシート２Ｂは、液不透過性で、かつ、透湿又は非透湿性のフィルムからなる。
【００１９】
吸収体２Ｃは、コアラップと、液体を吸収する吸収性コアとを有する。吸収性コアは、親水性繊維、高吸収性ポリマーを含む。親水性繊維の例としては、粉砕パルプ、コットン等のセルロース、レーヨン、フィブリルレーヨン等の再生セルロース、アセテート、トリアセテート等の半合成セルロース、粒子状ポリマー、繊維状ポリマー、熱可塑性疎水性化学繊維、又は、親水化処理を施した熱可塑性疎水性化学繊維等を単独又は混合して用いることができる。これらの中でも、低コストと吸収体の成形し易さとを考慮すると、粉砕パルプを使用することが好ましい。親水性繊維に高分子吸収体を混合したものを使用してもよい。
【００２０】
なお、吸収性コアは、コアラップによって包まれている。例えば、コアラップとしては、少なくとも肌面当接面側の一部に透透過性を有する各種の繊維不織布若しくはティッシュシート、具体的には、目付が１０〜３０ｇ/ｍ２のエアスルー繊維不織布やスパンボンド不織布やＳＭＳ不織布やティッシュシートを用いることができる。
【００２１】
また、図１及び図２（ｂ）に示すように、本実施形態に係る使い捨ておむつ１では、吸収体２Ｃよりも背側Ｂにおいて、トップシート２Ａとバックシート２Ｂとの間に、伸縮フィルム１００が配置されている。
【００２２】
例えば、かかる伸縮フィルム１００は、自然状態と比べて１.５倍の伸張状態で配置されていてもよい。
【００２３】
図２（ｂ）に示すように、かかる伸縮フィルム１００は、２層の非伸縮層１００Ａ/１００Ｂの間に少なくとも１層の伸縮層１００Ｃが挟まれている構造を有している。
【００２４】
例えば、非伸縮層１００Ａ/１００Ｂは、ポリプロピレンによって構成されている層であり、伸縮層１００Ｃは、オレフィン系エラストマーによって構成されている層であってもよい。
【００２５】
また、図２（ｂ）に示すように、本実施形態に係る使い捨ておむつ１では、非伸縮層１００Ａ/１００Ｂと伸縮層１００Ｃとの接合点１００Ｘが製品幅方向Ｗに間欠的に存在する構造を有している。
【００２６】
例えば、かかる接合点１００Ｘは、熱や接着剤等によって、非伸縮層１００Ａ/１００Ｂ及び伸縮層１００Ｃを接着することによって形成されていてもよい。
【００２７】
また、図２（ａ）に示すように、使い捨ておむつ１が、自然状態である場合に、バックシート２Ｂにおいて製品長手方向Ｌに延びる複数の皺２００が、吸収体２Ｃの背側Ｂの端縁Ｅ２から使い捨ておむつの背側Ｂの端縁Ｅ１まで到達するように形成されている。
【００２８】
具体的には、図２（ｂ）に示すように、伸縮フィルム１００の収縮によって、バックシート２Ｂにおいて、製品長手方向Ｌに延びる凸条部１００Ｙ及び凹条部１００Ｚが製品幅方向Ｗに交互に並ぶように形成され、図２（ａ）に示すように、かかる凸条部１００Ｙ及び凹条部１００Ｚによって、複数の皺２００が形成されている。
【００２９】
ここで、製品長手方向Ｌにおいて所定の長さを有しており製品幅方向Ｗに延びる複数の領域Ｘ１〜Ｘｎ（図４参照）における皺２００の数についての標準偏差は、０.３〜２.０の範囲内にあるように構成されている。
【００３０】
かかる構成によれば、本実施形態に係る使い捨ておむつ１が自然状態である場合に、バックシート２Ｂにおいて、伸縮フィルム１００の収縮によって均一な皺が形成されることで、かかる使い捨ておむつ１の非肌当接面側の剛性が高くなり、かかる使い捨ておむつ１が製品幅方向Ｗを基線にして折り曲げにくくなるという効果を奏することができる。
【００３１】
したがって、着用者に使い捨ておむつ１を装着させる際に、伸縮フィルム１００が捲れることなく着用者の背側に滑りこませることができる。
【００３２】
また、かかる構成によれば、本実施形態に係る使い捨ておむつ１において、伸縮フィルム１００よりも背側Ｂの領域においても、皺が延伸して存在するため、かかる領域における剛性が高まり、着用者に使い捨ておむつ１を装着させる際に、かかる領域が捲れ難いという効果を奏することができる。
【００３３】
ここで、図３及び図４を参照して、上述の皺２００の数についての標準偏差を算出する方法の一例について説明する。
【００３４】
第１に、自然状態における使い捨ておむつ１の伸縮フィルム１００が配置されている領域の非肌当接面側（バックシート２Ｂ側）に対して、図３に示すように、ぺんてる（株）のぺんてる（登録商標）筆７１における穂７１ａの先の部分から１/２〜３/４までの範囲を接触させた状態で、ぺんてる筆７１の軸７１ｂを動かして、非肌当接面側における穂７１ａが接触する部分に対して穂７１ａから滲出するインクを塗る。
【００３５】
ここで、穂７１ａを非肌当接面側に強く押し付けすぎないように、ぺんてる筆７１の軸７１ｂを、その長さ方向の中央部分において三本の指７２によって下方及び側方で支える必要がある。
【００３６】
第２に、図４に示すように、製品長手方向Ｌにおいて所定の長さを有しており製品幅方向Ｗに延びる領域Ｘ１〜Ｘｎの各々において、インクが塗布された部分Ｐの数を計測する。
【００３７】
ここで、本明細書では、かかる部分Ｐが、上述の皺２００を形成するものと考えるものとする。
【００３８】
第３に、各領域Ｘ１〜Ｘｎにおいて計測された部分Ｐの数を用いた標準偏差を算出し、かかる算出結果を、上述の皺２００の数についての標準偏差とする。
【００３９】
また、本実施形態に係る使い捨ておむつ１では、伸縮フィルム１００と吸収体２Ｃとの間の距離Ｄ１は、伸縮フィルム１００と使い捨ておむつ１の背側Ｂの端部Ｅ１との間の距離Ｄ２以下となるように構成されていてもよい。
【００４０】
例えば、本実施形態に係る使い捨ておむつ１では、伸縮フィルム１００と吸収体２Ｃとの間の距離Ｄ１、及び、伸縮フィルム１００と使い捨ておむつ１の背側Ｂの端部Ｅ１との間の距離Ｄ２は、伸縮フィルム１００の製品長手方向Ｌの長さＬ１の３０％以下となるように構成されていてもよい。
【００４１】
或いは、本実施形態に係る使い捨ておむつ１では、伸縮フィルム１００と吸収体２Ｃとの間の距離Ｄ１、及び、伸縮フィルム１００と使い捨ておむつ１の背側Ｂの端部Ｅ１との間の距離Ｄ２は、１０.０ｍｍ以下となるように構成されていてもよい。
【００４２】
これらの構成によれば、上述の距離Ｄ１及び距離Ｄ２が短くなるように構成されているため、伸縮フィルム１００と吸収体２Ｃとの間の領域や伸縮フィルム１００と使い捨ておむつ１の背側Ｂの端部Ｅ１との間の領域において、吸収体２Ｃの影響によって皺が発生し、製品幅方向Ｗを基線にして折れ曲がりにくくなるという効果を奏することができる。
【００４３】
なお、上述の距離Ｄ１及び距離Ｄ２が、上述の長さＬ１の３０％よりも大きい場合、及び、１０.０ｍｍよりも大きい場合には、伸縮フィルム１００と吸収体２Ｃとの間の領域、及び、伸縮フィルム１００と使い捨ておむつ１の背側Ｂの端部Ｅ１との間の領域において、吸収体２Ｃの影響による皺が発生し難くなり、これらの領域において、製品幅方向Ｗを基線にして折れ曲がり易くなってしまう。
【００４４】
また、本実施形態に係る使い捨ておむつ１では、バックシート２Ｂの製品幅方向Ｗを基線にした曲げ剛性値は、０.３×１０−４Ｎｍ/ｍ以下となるように構成されていてもよい。
【００４５】
かかる構成によれば、バックシート２Ｂにおいて均一な皺ができやすいという効果を奏することができる。なお、バックシート２Ｂの製品幅方向Ｗを基線にした曲げ剛性値が、０.３×１０−４Ｎｍ/ｍよりも大きいと、伸縮フィルム１００からの影響を受けにくく、バックシートに綺麗な皺ができにくくなる。
【００４６】
また、本実施形態に係る使い捨ておむつ１では、図２（ｂ）に示すように、トップシート２Ａは、製品長手方向Ｌに延びる凸条部１００Ｐ及び凹条部１００Ｑを有していてもよい。
【００４７】
かかる構成によれば、使い捨ておむつ１の肌当接面側においても、トップシート２Ａの凸条部１００Ｐ及び凹条部１００Ｑが支柱となり、トップシート２Ａの剛性が高くなり、伸縮フィルム１００が変形しにくいことによって、トップシート２Ａが元の形状のまま着用者の体にフィットするため、着用者の体との間で隙間ができにくいという効果を奏することができる。
【００４８】
さらに、本実施形態に係る使い捨ておむつ１では、トップシート２Ａとバックシート２Ｂと伸縮フィルム１０とを貼り合わせた状態における製品幅方向Ｗを基線にした曲げ剛性値は、０.８Ｎｍ/ｍ以上となるように構成されていてもよい。
【００４９】
かかる構成によれば、着用者に使い捨ておむつ１を装着させる際に、トップシート２Ａとバックシート２Ｂと伸縮フィルム１０とが貼り合わされた領域を捲れることなく着用者の背側に滑りこませることができる。
【００５０】
例えば、以下の測定方法によって、上述の曲げ剛性値を測定することができる。
【００５１】
かかる測定方法において、試験機器として、自動化純曲げ試験機 ＫＥＳ  ＦＢ-２（カトーテック株式会社）を使用する。
【００５２】
第１に、製品長手方向Ｌの長さが８０ｍｍ、製品幅方向Ｗの長さが４０ｍｍとなるように、はさみ等で、サンプルをカットする。
【００５３】
第２に、試験機器のゼロ合わせを行った後、試験機器の曲げ方向が製品長手方向Ｌ（すなわち、資材の配向方向）に合うように、試験機器にサンプルをセットして測定し、測定したＢ値（曲げ剛さ）を記録する。
【００５４】
第３に、試験機器の曲げ方向が製品幅方向Ｗに合うように、試験機器にサンプルをセットして測定し、測定したＢ値（曲げ剛さ）を記録する。
【００５５】
最後に、製品長手方向ＬにおけるＢ値及び製品幅方向ＷにおけるＢ値の平均値を「曲げ剛性値」とする。
【００５６】
（評価試験）
以下、実施例１及び比較例１〜３において曲げ剛性値を比較した試験結果について記載する。
【００５７】
ここで、実施例１では、２層の非伸縮層の間に１層の伸縮層が挟まれた伸縮フィルムと、トップシートと、バックシートと、を積層したものを用いた。実施例１の伸縮フィルムは、非伸縮層としてポリプロピレンを用いて、伸縮層としてエラスティックコアを用いた。伸縮フィルムの目付は、目付３４ｇ／ｍ３である。
【００５８】
比較例１では、実施例１の伸縮フィルムのみ（単層の伸縮フィルム）を用いた。比較例２では、ウレタンシートのみ（単層のウレタンシート）を用いた。比較例２のウレタンシートは、目付４２．５ｇ／ｍ３のエステル系ウレタンフォームである。比較例３では、比較例２に係るウレタンシートと、トップシートと、バックシートと、を積層したものを用いた。
【００５９】
実施例１及び比較例３に係るトップシートは、目付２５ｇ／ｍ３のエアスルー不織布であり、バックシートは、目付１８ｇ／ｍ３のポリオレフィン30〜50％とフィラー70〜50％からなるフィルムである。
【００６０】
実施例１に係る曲げ剛性値は、比較例１〜３の曲げ剛性値よりも高く、高い曲げ剛性値を得られることがわかった。
【００６１】
すなわち、実施例１では、ウレタンシートを用いることなく、ウレタンシートが用いられている比較例と同等の曲げ剛性値を得ている。したがって、実施例１では、着用者が、ウレタンシートの厚みを感じてしまうという不具合を生じさせることなく、交換時に、着用者の背側における装着を容易にすることができることが分かる。また、ウレタンシートを用いた比較例２の曲げ剛性値よりも、ウレタンシートを用いていない実施例１の曲げ剛性値が高い。実施例１の伸縮層を用いることにより、ウレタンシートを用いることなく、ウレタンシートより高い曲げ剛性値を得られることがわかった。
【００６２】
また、比較例１と実施例１を比較すると、２層の非伸縮層の間に１層の伸縮層が挟まれた伸縮フィルムが単層の構成では、曲げ剛性値が低いが、当該伸縮フィルムにトップシートとバックシートを積層することにより、曲げ剛性値が飛躍的に高くなることがわかった。例えば、比較例２と比較例３を比較すると、単層のウレタンシートよりも、ウレタンシートにトップシートとバックシートを積層することにより、曲げ剛性値が高くなることがわかる。しかし、比較例３の曲げ剛性値は、比較例２の曲げ剛性値の約３倍である。一方、実施例１の曲げ剛性値は、比較例１の曲げ剛性値の１０倍以上である。このことから、本実施の形態に係る伸縮フィルムに、トップシート及びバックシートを積層することにより、曲げ剛性値が飛躍的に高くなることがわかった。
【００６３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６４】
１…使い捨ておむつ
２Ａ…トップシート
２Ｂ…バックシート
２Ｃ…吸収体
１００…伸縮フィルム
１００Ｘ…接合点
１００Ｙ…凸条部
１００Ｚ…凹条部
２００…皺
【図１】
2015202251.tif 000003
【図２】
2015202251.tif 000004
【図３】
2015202251.tif 000005
【図４】
2015202251.tif 000006
【図５】
2015202251.tif 000007